(57)【要約】本発明の圧縮空気を利用した口腔洗浄器は、高圧のエアを噴射するエア噴射部と；洗浄液が貯留される洗浄液タンクと；洗浄液タンクと第１管体によって連結され、エア噴射部と第２管体によって連結されることにより、エア噴射部から空気が高圧で供給されると圧力差によって洗浄液タンクから洗浄液を引き出して噴射させる加速部と；前記加速部と管体によって連結されることにより高圧空気によって噴射された洗浄液が歯に噴射されることができるノズル部と；エア噴射部を制御することにより洗浄液を噴射或いは遮断させるスイッチ部とを含む。
2017526506.tif 000002
【特許請求の範囲】
【請求項１】
高圧のエアを噴射するエア噴射部と；
洗浄液が貯留される洗浄液タンクと；
洗浄液タンクと第１管体によって連結され、エア噴射部と第２管体によって連結されることにより、エア噴射部から空気が高圧で供給されると圧力差によって洗浄液タンクから洗浄液を引き出して噴射させる加速部と；
前記加速部と管体によって連結されることにより高圧空気によって噴射された洗浄液が歯に噴射されることができるノズル部と；
エア噴射部を制御することにより洗浄液の噴射量を加減または遮断させるスイッチ部とを含むことを特徴とする口腔洗浄器。
【請求項２】
前記エア噴射部は、エアが貯留されるエアタンクと；スイッチ部に連結されてスイッチをオンさせる場合エアタンクに空気を供給するエアポンプとを含むことを特徴とする請求項１に記載の口腔洗浄器。
【請求項３】
前記加速部は、
第２管体の端部に形成される拡管部と；
拡管部に連続して形成されて拡管部より小さな空間を有することにより流速が増加する縮管部と；
縮管部を通過した流体が高速で排出される排出口とを含むことを特徴とする請求項１に記載の口腔洗浄器。
【請求項４】
前記ノズル部は、
歯の外部を包んで洗浄液を噴射する内側フレームと；
内側フレームの外部を包むことにより配管を形成する外側フレームと；
外側フレーム及び内側フレームの間に形成されて洗浄液が流れることができる主配管と；
主配管から両側方向に分岐される一対の支管と；
支管にそれぞれ備えられて中心線から上下左右に偏心されるように位置して洗浄液が噴射されることができるノズルと；
ノズルを固定しながら向き合ったノズルから噴射された洗浄液の直進性を制御する飛散防止突起とを含むことを特徴とする請求項１に記載の口腔洗浄器。
【請求項５】
前記内側フレームは、
表面に凹溝が形成されて主配管及び支管を形成する水平部と；
水平部の両側端で下部に突出されて洗浄液を噴射する噴射穴が形成される一対の垂直部とを含み、
一対の垂直部の縁の内側方向に飛散防止突起が突出形成されて洗浄液の外部飛散を防止することを特徴とする請求項４に記載の口腔洗浄器。
【請求項６】
前記管体には、管体を通じて供給される洗浄液に繰り返して圧力を掛けるとか解除することにより、ノズル部を通じて洗浄液が噴射されるようにする圧力波動機及び圧力調整器を追加で含むことを特徴とする請求項１記載の口腔洗浄器。
【請求項７】
前記ケースの下部には、一対の管体掛りが追加で含まれ、
一対の管体掛りは、ケースの下部に突出された橋に挿入される本体と；この本体の上部に凹みに形成されて管体が掛かって固定されることができる装着口とをそれぞれ含むことを特徴とする請求項１に記載の口腔洗浄器。
【発明の詳細な説明】
【技術分野】
【０００１】
本発明は、圧縮空気を利用した口腔洗浄器に関するものであって、より詳しくは、圧縮空気によって洗浄液を歯に高速で噴射して、歯間の歯石及び口腔内の異物を效率的に除去することができる装置に関するものである。
【背景技術】
【０００２】
一般的に口腔洗浄器は、洗浄液をポンプでパンピングしてノズルへ供給し、ノズルから単一の噴射口を通じて口腔内に噴射される方式である。この際、多量に噴射された洗浄液は噴霧形態ではなく、水流形態で口腔内に噴射されるので使用者は多量の洗浄液を連続的に吐き出しながら口腔洗浄を進行しなければならない問題点がある。
【０００３】
また、洗浄液は、一つの水流を保持しながら噴射されるので外部衝撃或いは振動等によって噴射口が揺れて噴射方向が歯から外れると、水流が歯茎、舌、口蓋等に噴射されるので口腔内に均一に噴射されにくく、また水流が口腔内側に近接すると不快感を与え、歯茎に病気がある場合には傷の部位に集中されて繰り返して局所的な衝撃を与えることにより、病気をさらに悪化させることがあるという問題点がある。
【０００４】
また、特許文献１（名称：歯ブラシ）には、歯ブラシが提示されているところ、このような歯ブラシは、口腔内の歯を磨くことができるが、その他の口腔内部に対しては十分な洗浄を進行することができない問題点がある。
【先行技術文献】
【特許文献】
【０００５】
【特許文献１】韓国特許出願第１０−２０１１−８３６９１号
【発明の概要】
【発明が解決しようとする課題】
【０００６】
従って、本発明は、このような問題点を解決するために工夫したものであって、本発明の目的は、圧縮空気によって洗浄液を高速で加速させて口腔内に噴射させることにより、歯間の歯石と口腔内の異物を少ない洗浄液で效率的に除去することができる口腔洗浄装置を提供するものである。
【課題を解決するための手段】
【０００７】
前記した目的を果たすために、本発明の一実施例は、高圧のエアを噴射するエア噴射部（５）と；
洗浄液が貯留される洗浄液タンク（３）と；
洗浄液タンク（３）と第１管体（Ｌ１）によって連結され、エア噴射部（５）と第２管体（Ｌ２）によって連結されることにより、エア噴射部（５）から空気が高圧で供給されると圧力差によって洗浄液タンク（３）から洗浄液を引き出して噴射させる加速部（７）と；
前記加速部（７）と管体によって連結されることにより高圧空気によって噴射された洗浄液が歯に噴射されることができるノズル部（１５）と；
エア噴射部（５）を制御することにより洗浄液を噴射或いは遮断させるスイッチ部とを含む口腔洗浄器を提供する。
【発明の効果】
【０００８】
前記したように本発明の一実施例に沿う口腔洗浄器は次のような長所がある。
一番目として、洗浄液が貯留されたタンクと高圧のエアタンクを連結することにより、高圧のエアによって洗浄液を口腔内に噴射することにより歯石及び口腔内の異物を効果的に除去することができる。
【０００９】
二番目として、ノズル部と管体を結合部によって分離可能に連結することにより、ノズル部を取り替える場合この結合部を分離することにより容易に取り替えることができる。
三番目として、ノズル部が水平部及び垂直部からなることにより歯の外部を効果的に包んだ状態で、高圧の洗浄液を噴射することにより歯石を効果的に除去することができる。
【００１０】
四番目として、圧力波動機と調整器を備えることにより、洗浄液をより効果的に噴射することができる。
五番目として、ノズル部の縁に飛散防止突起を突出形成することにより洗浄液が歯又はノズルの向こうの飛散防止突起に衝突した後、四方に飛散することを防止することができる。
【００１１】
六番目として、内側フレームの外側に凹溝を形成し、この内側フレームの外部に外側フレームを包むように結合する簡単な工程によって洗浄液噴射用水路を形成することができる。
【図面の簡単な説明】
【００１２】
【図１】本発明の一実施例に沿う口腔洗浄器を示した斜視図である。
【図２】図１に示した高圧空気噴射部の構造を概略的に示した図面である。
【図３】図１に示した口腔洗浄器のノズル部が歯の外部を包んだ状態を示した図面である。
【図４】図３に示したノズル部が外側フレーム及び内側フレームからなることを示した分解斜視図である。
【図５】図４の内側フレームの内部に主配管及び支管が形成された状態を示した平面図である。
【図６】図１に示した結合部の作動関係を示した図面である。
【図７】図１に示した口腔洗浄器の他の実施例として、洗浄液が供給される管体を巻いて保管することができる管体固定部を示した図面である。
【発明を実施するための形態】
【００１３】
以下、本発明に沿う口腔洗浄器を添付された図面を参照して詳しく説明する。
図１乃至図６に示したように、本発明が提案する口腔洗浄器（１）は、ケース（２）と；ケース（２）に備えられて高圧のエアを噴射するエア噴射部（５）と；洗浄液が貯留される洗浄液タンク（３）と；洗浄液タンク（３）と第１管体（Ｌ１）によって連結され、エア噴射部（５）と第２管体（Ｌ２）によって連結されることにより、エア噴射部（５）から空気が高圧で供給されると圧力差によって洗浄液タンク（３）から洗浄液を引き出して噴射させる加速部（７）と；前記加速部（７）と管体によって連結されることにより高圧空気によって噴射された洗浄液が歯に噴射されることができるノズル部（１５）と；エア噴射部（５）を制御することにより洗浄液を噴射或いは遮断させるスイッチ部（１１）とを含む。
【００１４】
このような構造を有する口腔洗浄器において、前記洗浄液タンク（３）は、内部に一定の容積の空間が形成されることにより洗浄液が貯留されることができる。
そして、この洗浄液タンク（３）は、第１管体（Ｌ１）を通じて加速部（７）に連結される。従って、エア噴射部（５）からエアが高速で加速部（７）を通過する場合、圧力差によってタンクに貯留された洗浄液が引き出されて噴射されることができる。
【００１５】
この際、第１管体（Ｌ１）には開閉弁（Ｖ）が装着されることにより、開閉弁（Ｖ）を適切に調節して噴射される洗浄液の量を制御することができる。
前記エア噴射部（５）は、エアが貯留されるエアタンク（Ａｉｒ  ｔａｎｋ；１２）と；エアタンク（１２）に空気を供給するエアポンプ（Ａｉｒ  ｐｕｍｐ；Ｐ）とを含む。
【００１６】
エアタンク（１２）は、一定の容積の空間を有し、この空間にエアポンプ（Ｐ）によってポンピングされたエアが流入口を通じて充填される。そして、エアポンプ（Ｐ）が駆動する場合、エアタンク（１２）内部に充填された空気は出口を通じて第２管体（Ｌ２）に供給された後、加速部（７）に供給されることができる。
【００１７】
この際、エアポンプ（Ｐ）は、スイッチに連結される。従って、スイッチをオンの状態とする場合、エアポンプ（Ｐ）が駆動することによりエアを噴射することができる。
このように空気は、第２管体（Ｌ２）を通じて加速部（７）に供給され、加速部（７）によって高速で加速されることができる。
【００１８】
即ち、加速部（７）は、例えば、ベンチュリー管（Ｖｅｎｔｕｒｉ  ｔｕｂｅ）の形状を有することにより流体の速度を可変させて圧力を低めるようになる。
より詳しく説明すれば、加速部（７）は、第２管体（Ｌ２）の端部に形成される拡管部（１４）と；拡管部（１４）に連続して形成されて拡管部（１４）より小さな空間を有することにより流速が増加する縮官部（１９）と；縮管部（１９）を通過した流体が高速で排出される排出口（１８）とを含む。
【００１９】
そして、縮管部（１９）には洗浄液タンク（３）に連結された第１管体（Ｌ１）が連結される。
従って、拡管部（１４）から供給されたエアが縮管部（１９）を通過するようになると、拡管部（１４）を通過するエアの速度と、縮管部（１９）を通過するエアの速度差によって圧力の差が発生する。
【００２０】
このような圧力差によって縮管部（１９）の圧力は低まるようになって、この際、洗浄液タンク（３）の圧力は相対的に高い状態となる。
従って、洗浄液タンク（３）に貯留された洗浄液は、相対的に圧力が低い縮管部（１９）に流入し、縮管部（１９）で高圧のエアと混合することによりノズル部（１５）へ噴射されることができる。
【００２１】
一方、前記ノズル部（１５）は、歯（Ｔ）の外部を包むように配置された後、内側に備えられた多数のノズルによって洗浄液を高圧で噴射することにより歯石を除去することができる。
【００２２】
このようなノズル部（１５）は、歯（Ｔ）の外部を包んで洗浄液を噴射する内側フレーム（１６）と；内側フレームの外部を包むことにより配管を形成する外側フレーム（２１）と；外側フレーム（２１）及び内側フレームの間に形成されて洗浄液が流れることができる主配管（２５）と；主配管（２５）から両側方向に分岐される一対の支管（２８，２６）と；支管（２６，２８）にそれぞれ備えられて中心線から上下左右に偏心されるように位置して洗浄液が噴射されることができるノズル（３０，３２）とを含む。
【００２３】
このようなノズル部（１５）において、外側フレーム（２１）は、“∩”字の形状を有することにより内側フレームの外部を包むように配置される。
そして、内側フレーム（１６）は、“∩”字の形状を有することにより歯（Ｔ）を包むことができる。即ち、内側フレーム（１６）は、歯（Ｔ）の上部に水平方向に配置されることができる水平部（２０）と；水平部（２０）の両側端から下部に突出されて歯（Ｔ）の側方向を包む一対の垂直部（２２，２４）からなる。
【００２４】
このような内側フレーム（１６）は、フレキシブル（Ｆｌｅｘｉｂｌｅ）な材質に形成されることにより歯（Ｔ）の大きさに適切に対応することができる。即ち、奥歯を洗浄する場合、或いは他の歯（Ｔ）を洗浄する場合、それぞれの歯（Ｔ）の大きさに效率的に対応することができる。
【００２５】
そして、内側フレーム（１６）の外部面には、一定の深みの凹溝が形成されることにより主配管（２５）及び支管（２６，２８）が形成されることができる。
即ち、内側フレーム（１６）の表面に凹溝が形成された状態で外側フレーム（２１）が外部で包むように配置されることにより、結局には凹溝を四方に密閉された形状を有することにより水路を形成することができる。この水路は、主配管（２５）及び一対の支管（２６，２８）を形成する。
【００２６】
このような主配管（２５）は、フレーム（１６）の水平部（２０）の内側に配置されて管体（Ｌ）に連結されることにより洗浄液が供給されることができる。
そして、一対の支管（２８，２６）は、このような主配管（２５）から側方向にそれぞれ分岐される構造を有する。
【００２７】
このような一対の支管（２８，２６）は、主配管（２５）から一側方向に分岐されて垂直部（２２，２４）の内側に配置される第１支管（２８）と；主配管（２５）から他側方向に分岐されて垂直部（２２，２４）の内側に配置される第１支管（２８）と向き合うように配置される第２支管（２６）とを含む。
【００２８】
この際、第１支管（２８）及び第２支管（２６）は、互いにずれるように配置されるのがより望ましい。
即ち、第１支管（２８）及び第２支管（２６）が互いにずれるように配置される場合、噴射される洗浄液が歯（Ｔ）間により均一に噴射されることができる。
【００２９】
前記では主配管（２５）から分岐される支管を２個に限定して説明したが、本発明はこれに限定されず、実施例に応じて適切に変更することができる。
このような第１及び第２支管（２８，２６）の下段の内側には前記ノズル（３０，３２）が形成される。このようなノズル（３０，３２）は、少なくとも一つ以上配置されることが望ましい。
【００３０】
従って、管体（Ｌ）を通じて供給された洗浄液が主配管（２５）と第１及び第２支管（２８，２６）を通じて供給された後、前記ノズル（３０，３２）を通じて高圧で噴射されることにより歯（Ｔ）の異物が効果的に除去されることができる。
【００３１】
併せて、前記フレーム（１６）の縁の内側には飛散防止突起（３４）が突出形成されることにより水が外部に飛散されるのを防止する。
即ち、前記飛散防止突起（３４）は、フレーム（１６）の縁に内側方向にそれぞれ突出形成される。
【００３２】
従って、ノズル（３０，３２）を通じて高圧の洗浄液が噴射されて歯（Ｔ）にぶつかる場合、水が外側方向に飛散されることができるところ、水平部（２０）及び一対の垂直部（２４）がこれを１次的に遮断し、２次的にはこの飛散防止突起（３４）が水の飛散を防止するようになる。
【００３３】
結局、本発明の口腔洗浄器（１）は、ノズル部（１５）の水平部と垂直部とそして、飛散防止突起（３４）が歯（Ｔ）の外部を包んだ状態で高圧の洗浄液を歯（Ｔ）に噴射して歯石を除去することができ、この際、水の飛散を防止することができる。
【００３４】
一方、前記ノズル部（１５）は、結合部（１３）によって管体（Ｌ）に分離可能に結合されることができる。従って、ノズル部（１５）を長らく使うとか他のノズル部（１５）で取り替えようとする場合には、結合部（１３）によってノズル部（１５）を分離して取り替えることができる。
【００３５】
このような結合部（１３）は、図１及び図６に示したように、一側に管体（Ｌ）が連結される第１結合プレート（３８）と；一側にノズル部（１５）が連結され、第１結合プレート（３８）に分離可能に結合される第２結合プレート（４１）と；第２結合プレート（４１）に突出形成されて第１結合プレート（３８）に結合される一対の掛り片（４２，４４）とを含む。
【００３６】
このような構造を有する結合部（１３）において、第１結合プレート（３８）には第１貫通孔（ｈ１）が形成されることにより管体（Ｌ）と連通される。従って、管体（Ｌ）を通じて供給された洗浄液は第１貫通孔（ｈ１）へ流れることができる。
【００３７】
第２結合プレート（４１）には第２貫通孔（ｈ２）が形成されることによりノズル部（１５）と連通される。従って、第１及び第２結合プレート（３８，４１）が互いに向き合って一致すれば、第１及び第２貫通孔（ｈ１，ｈ２）も互いに連結されることにより洗浄液が流れることができる。
【００３８】
前記一対の掛り片（４２，４４）は、第１及び第２掛り片（４２，４４）を含む。第１掛り片（４２）は、第２結合プレート（４１）の一側に突出されて第１結合プレート（３８）の第１掛り溝（４６）に弾力的に掛かる。そして、第２掛り片（４４）は、第２結合プレート（４１）の他側に突出されて第１結合プレート（４１）の第２掛り溝（４５）に弾力的に掛かる。
【００３９】
従って、第１及び第２掛り片（４２，４４）をそれぞれ第１掛り溝（４６）と第２掛り溝（４５）に弾力的に掛けて第１及び第２結合プレート（３８，４１）が一体に結合されることができる。
【００４０】
反対に、ノズル部（１５）を取り替える場合には、第１及び第２掛り片（４２，４４）を解除することにより第１及び第２結合プレート（３８，４１）を分離することができる。
【００４１】
一方、本発明の他の実施例として、管体（Ｌ）には圧力調整器（４０）及び圧力波動機（４）が追加に配置されることもできる。
このような圧力調整器（４０）は、通商的な構造の圧力調整器を意味し、洗浄液が管体（Ｌ）の内部を流れる圧力が一定に保持されるようにする。
【００４２】
本発明に沿う口腔洗浄器は、ノズル部（１５）から洗浄液が高圧で噴射され、噴射された水が歯に衝突して飛散するようになるので洗浄液の圧力を一定に保持するのが重要である。
【００４３】
そして、前記圧力波動機（４）は、管体（Ｌ）上に配置されることにより管体（Ｌ）を通じて供給される洗浄液に圧力を掛けるとか解除するようになる。このような圧力波動機（４）は、通商的な構造の圧力波動機を意味する。即ち、ピストン或いはダイヤフラム等によって圧力を発生させて洗浄液に圧力を伝達する構造である。
【００４４】
従って、このような構造の圧力波動機（４）が管体（Ｌ）を流れる洗浄液に圧力を掛ける場合には、ノズル部（１５）を通じて噴射される洗浄液が高圧で噴射されることができる。
【００４５】
そして、洗浄液に対する圧力を解除する場合には、ノズル部（１５）を通じて噴射される洗浄液の圧力が弱くなるとか遮断されることができる。
このように圧力波動機（４）によって繰り返して洗浄液に圧力を掛けるとか解除することにより、ノズル部（１５）を通じて噴射される洗浄液がより効果的に歯（Ｔ）間の異物或いは歯石を除去することができる。
【００４６】
前記スイッチは、管体（Ｌ）の所定の位置に備えられて管体（Ｌ）に沿って供給される洗浄液を遮断するとか供給することができる。
このようなスイッチ部（１１）は、管体（Ｌ）上に配置され、オン、オフの方式のスイッチを意味する。即ち、スイッチ部（１１）のレバー（１７）をオンの位置で回転させるとか、オフの位置で回転させることにより管体（Ｌ）を開閉することができる。
【００４７】
従って、使用者は、このスイッチ部（１１）のレバー（１７）を操作してオン／オフさせることによりノズル部（１５）を通じて噴射される洗浄液を制御することができる。
一方、本発明の他の実施例として図７に示したところのように、ケース（２）の下部に管体（Ｌ）を巻いて保管することができる管体掛り（５０）が追加に備えることができる。このような管体掛り（５０）は、ケース（２）の下部に突出された橋（５１）に挿入される本体（５２）と；この本体（５２）の上部に凹みに形成されて管体（Ｌ）が掛かって固定されることができる装着口（５４）とを含む。
【００４８】
この際、橋（５１）は、ケース（２）の下部の両側にそれぞれ突出される。また、管体掛り（５０）は、おのおの橋（５１）に装着されることができる。従って、管体（Ｌ）を巻く場合この管体（Ｌ）は、一側の管体掛り（５０）を経由した後、他側の管体掛り（５５）に巻かれるようになる。
【００４９】
そして、ケース（２）の一側にはノズル掛り（５６）が備えられる。このノズル掛り（５６）は凹みに形成されることによりノズル（１５）に接した管体が収納されることができる。
【００５０】
従って、管体（Ｌ）を管体掛り（５０）に巻いた後、その端のノズル（１５）はノズル掛り（５６）に掛けて固定することができる。
【産業上の利用可能性】
【００５１】
本発明は、口腔洗浄器に関するものであって、口腔内の異物及び歯石を除去するためものとして歯科等の医療機関で使用可能である。
【符号の説明】
【００５２】
１  口腔洗浄器
２  ケース
３  洗浄液タンク
５  エア噴射部
７  加速部
１３  結合部
１４  拡管部
１５  ノズル部
１９  縮官部
１８  排出口
２５  主配管
３４  飛散防止突起
【図１】
2017526506.tif 000003
【図２】
2017526506.tif 000004
【図３】
2017526506.tif 000005
【図４】
2017526506.tif 000006
【図５】
2017526506.tif 000007
【図６】
2017526506.tif 000008
【図７】
2017526506.tif 000009
【国際調査報告】
2017526506.tif 000010
2017526506.tif 000011
2017526506.tif 000012
2017526506.tif 000013